(57)【要約】  音声呼び出しを受信したときにユーザー機器をロング・ターム・エボルーション・システムから回路切替えシステムへ切替える方法が開示される。この方法は、ＩＷＦ（インターネットワーキング機能）ネットワーク・ノードにおいて、ＵＳＳＤアプリケーションに由来するユーザー機器（ＵＥ）を特定する移動通信応用部非構造付加サービス・データ（ＭＡＰ  ＵＳＳＤ）を受信し、そのＵＥは第１の回線交換局（ＭＳＣ）に関連しており、ページング要請をＵＥへ送信することによって回路切替えフォールバック（ＣＳＦＢ）を開始し、ＵＥが第２のＭＳＣに関係していることを示すホーム位置レジスタ（ＨＬＲ）からＵＥに関連したキャンセル位置メッセージを受信し、ＨＬＲ及び第２のＭＳＣを介してＭＡＰ ＵＳＳＤメッセージをＵＥへ送り、ＨＬＲを介してＵＥからＭＡＰ ＵＳＳＤ応答メッセージを受信し、及び、ＭＡＰ ＵＳＳＤ応答メッセージをＵＳＳＤアプリケーションへ送ることを含む。【選択図】  図１
2015521005.tif 000002
【特許請求の範囲】
【請求項１】
方法であって、
ＩＷＦ（インターネットワーキング機能）ネットワーク・ノードにおいて、ＵＳＳＤアプリケーションに由来するユーザー機器（ＵＥ）を特定する移動通信応用部非構造付加サービス・データ（ＭＡＰ  ＵＳＳＤ）を受信し、そのＵＥは第１の回線交換局（ＭＳＣ）に関連しており、
ページング要請を前記ＵＥへ送信することによって回路切替えフォールバック（ＣＳＦＢ）を開始し、
前記ＵＥが第２のＭＳＣに関係していることを示すホーム位置レジスタ（ＨＬＲ）から前記ＵＥに関連したキャンセル位置メッセージを受信し、
前記ＨＬＲ及び第２のＭＳＣを介してＭＡＰ ＵＳＳＤメッセージを前記ＵＥへ送り、
前記ＨＬＲを介して前記ＵＥからＭＡＰ ＵＳＳＤ応答メッセージを受信し、及び、
前記ＭＡＰ ＵＳＳＤ応答メッセージを前記ＵＳＳＤアプリケーションへ送ることを含む方法。
【請求項２】
方法であって、
ＩＷＦ（インターネットワーキング機能）ネットワーク・ノードにおいて、関門移動位置局（ＧＭＬＣ）に由来するユーザー機器（ＵＥ）を特定する移動通信応用部ルーティング情報位置サービス送信（ＳＲＩ―ＬＣＳ）を受信し、そのＵＥは第１の回線交換局（ＭＳＣ）に関連しており、
ページング要請を前記ＵＥへ送信することによって回路切替えフォールバック（ＣＳＦＢ）を開始し、
前記ＵＥが第２のＭＳＣに関係していることを示すホーム位置レジスタ（ＨＬＲ）から前記ＵＥに関連したキャンセル位置メッセージを受信し、
前記ＨＬＲ及び第２のＭＳＣを介してＳＲＩ―ＬＣＳメッセージを前記ＵＥへ送り、
前記ＨＬＲからＳＲＩ―ＬＣＳ応答メッセージを受信し、
ＭＡＰ加入者位置提供（ＰＳＬ）メッセージを第２のＭＳＣへ送り、
第２のＭＳＣからＭＡＰ  ＰＳＬ応答メッセージを受信し、及び、  
前記ＭＡＰ  ＰＳＬ応答メッセージを前記ＧＭＬＣへ送ることを含む方法。
【請求項３】
方法であって、
ＩＷＦ（インターネットワーキング機能）ネットワーク・ノードにおいて、ホーム位置レジスタ（ＨＬＲ）に由来するユーザー機器（ＵＥ）を特定するモビリティ・アプリケーション加入者情報提供（ＭＡＰ  ＰＳＩ）メッセージを受信し、そのＵＥは第１の回線交換局（ＭＳＣ）に関連しており、
ページング要請を前記ＵＥへ送信することによって回路切替えフォールバック（ＣＳＦＢ）を開始し、
前記ＵＥが第２のＭＳＣに関係していることを示す前記ＨＬＲから前記ＵＥに関連したキャンセル位置メッセージを受信し、
前記ＨＬＲ及び第２のＭＳＣを介してＭＡＰ ＡｎｙＴｉｍｅ質問（ＡＴＩ）メッセージを前記ＵＥへ送り、
前記ＨＬＲからＭＡＰ ＡＴＩ応答メッセージを受信し、及び、
ＭＡＰ ＰＳＩ応答メッセージにおける前記ＭＡＰ  ＡＴＩ応答における情報を前記ＨＬＲへ送ることを含む方法。
【発明の詳細な説明】
【発明の詳細な説明】
【０００１】
本開示は遠隔通信の分野に関し、更に詳しくは、回路切替えフォールバックのためのインターネットワーキングに関する。
背景
【０００２】
現在では、ロング・ターム・エボルーション（ＬＴＥ）システムは音声通話を支持しないので、３ＧＰＰ標準ＴＳ２３.２７２により指定された回路切替えフォールバック（ＣＳＦＢ）はこれらの呼び出しのために実行される。ＣＳコアネットワークを介するＣＳフォールバック機能及びＳＭＳ（ショート・メッセージ・システム）メッセージ配信は、ＥＰＳ（次世代パケット・システム）におけるＭＭＥ（モビリティ管理エンティティ）と、ＶＬＲ（在圏位置レジスタ（Ｖｉｓｉｔｏｒ  Ｌｏｃａｔｉｏｎ  Ｒｅｇｉｓｔｅｒ））との間のインターフェースにおける３ＧＰＰ ＴＳ ２９.０１８において規定されたＧｓインターフェース機構を再利用することによって実現される。このインターフェースは、ＳＧｓインターフェースと称されている。
【０００３】
例えば、ネットワークはＬＴＥ無線上でモバイルのページングを強化し、ＬＴＥ無線上にキャンプオンするモバイルがＬＴＥシステム上で音声通話ページング要請を受信するとき、モバイル・デバイスはＣＳ無線へフォールバックして音声通話を受信する。ＣＳＦＢに関連して、如何なる能動データ・セッションも中止されるか、又は、２Ｇ/３Ｇ ＰＳ（パケット交換された(ｐａｃｋｅｔ  ｓｗｉｔｃｈｅｄ)）アクセスへハンドオーバされる。モバイル発信（Ｍｏｂｉｌｅ  Ｏｒｉｇｉｎａｔｉｎｇ（ＭＯ））呼び出しについては、ＬＴＥ無線上にキャンプオンするモバイル・デバイス又はユーザー機器（ＵＥ）は、ＣＳ領域における音声通話を発信するために、それら自身におけるフォールバックを起動する。ＬＴＥ無線上にキャンプオンするモバイルは、フォールバックを伴うこと無くＳＭＳを送受信することができる。基本的な概念は音声通話のためにＵＥをＣＳ無線へフォールバックさせることを強いることであり、これはＶｏＬＴＥ（ボイス・オーバーＬＴＥ）ではない。ＣＳＦＢを実行するために、ＵＥがＥＰＣ（次世代パケットコア（Ｅｖｏｌｖｅｄ  Ｐａｃｋｅｔ  Ｃｏｒｅ））へアタッチされたのがいつであるかをＭＳＣが知ることができるように、ＭＭＥ（モビリティ管理エンティティ）とＭＳＣ／ＶＬＲ（回線交換局（Ｍｏｂｉｌｅ  ＳｗｉｔｃｈｉｎｇＣｅｎｔｅｒ）／在圏位置レジスタ）との間に新たなインターフェース（ＳＧｓと称される）が要求される。ＭＳＣ／ＶＬＲは基準としてＨＬＲ（ホーム位置レジスタ（Ｈｏｍｅ  Ｌｏｃａｔｉｏｎ  Ｒｅｇｉｓｔｅｒ））に登録されるので、モバイル着信（Ｍｏｂｉｌｅ  Ｔｅｒｍｉｎａｔｉｎｇ；ＭＴ）音声通話及びＳＭＳがそこに送られる。これらの場合、ＭＯ／ＭＴ／ＳＭＳは、ＭＳＣを介してＬＴＥアクセス及びＥＰＣ上で搬送される。ＭＯ呼び出しについては、ＵＥは呼び出しを発信する前にＣＳ無線へフォールバックして、コアネットワーク変化が必要とされないようにする。ＭＴ呼び出しについては、この呼び出しは基準としてＭＳＣへ搬送されて、ＭＳＣは、ＭＭＥとＭＳＣとの間の新たなＳＧｓを介してＵＥをページングする。このＵＥはＣＳ無線へフォールバックして、位置更新（Ｌｏｃａｔｉｏｎ  Ｕｐｄａｔｅ）又はページング応答（Ｐａｇｅ  Ｒｅｓｐｏｎｓｅ）の何れかを発する。ＭＳＣは、呼び出しを完了する。ＵＥがＳＧｓページを発行したものとは異なるＭＳＣにフォールバックするならば、複雑な「ローミング再試行」処理が呼び出しを完了するために要求される。とは言うものの、この処理はＬＴＥ及びＣＳシステムの各々における既存のノードの新たなインターフェース及び修正を必要とする。新たなインターフェースに関しては、新たなＳＧｓインターフェースが、ＣＳコアネットワークにおけるＭＳＣとＥＰＣにおけるＭＭＥとの間で必要とされる。ＳＧｓは、ＭＳＣに、ＥＰＣアタッチ、ＥＰＣアタッチの間のＭＯ／ＭＴ  ＳＭＳを知ること、及び、ＭＳＣが音声通話のためにＥＰＣ及びＬＴＥアクセスＥＰＣ上で加入者を呼び出すことを可能にする。変更されたノードに関しては、ＭＳＣはＳＧｓインターフェース及び関連状態機械を必要とする。ＭＭＥは、ＳＧｓインターフェースと関連状態機械の変更と���必要とし、ＩＳＲ（位置登録省略機能（Ｉｄｌｅ  ｍｏｄｅ  Ｓｉｇｎａｌｉｎｇ  Ｒｅｄｕｃｔｉｏｎ））が有効であるならば、ＳＧＮＳに対するＳ３インターフェースを必要とする。ＭＳＣ／ＨＬＲ／ＧＭＳＣが全てローミング再試行を支持するために変化を必要とし、これはＣＳＦＢによってより起こり得る。
【図面の簡単な説明】
【０００４】
【図１】図１は回路切替えフォールバックのための通信システムの実施形態の単純化されたブロック図である。
【０００５】
【図２】図２Ａ―図２Ｉは回路切替えフォールバックの間の信号発信を図解する通信システムの実施形態の単純化されたブロック図である。
【０００６】
【図３】図３Ａ及び図３Ｂは回路切替えフォールバックを図解する呼び出しフロー図である。
【０００７】
【図４】図４は回路切替えフォールバックを実行する例示的方法を図解するフローチャートである。
【０００８】
【図５】図５はＵＳＳＤ要請処理により開始される新たなネットワークの実施形態を図解する呼び出しフロー図である。
【０００９】
【図６】図６は通信システムの例示的実施形態の単純化されたブロック図である。
【００１０】
【図７】図７は新たなモバイル着信位置報告処理の実施形態を図解する呼び出しフロー図である。
【００１１】
【図８】図８はＣＳ処理への新たな加入者情報提供フォールバックの実施形態を図解する呼び出しフロー図である。
【詳細な説明】
【００１２】
図１は、音声通話を受信するとき、ロング・ターム・エボルーション（ＬＴＥ）システムから回路切替え（ＣＳ）システムへユーザー機器（ＵＥ）を切替えるための例示的通信システム１００である。例えば、ＵＥがＬＴＥシステムにキャンプオンし、ＣＳ領域からモバイル着信音声通話の指示を受信するとき、ＵＥは呼び出しを受け入れるためにＣＳネットワーク（２Ｇ又は３Ｇ）に切り換わり得る。一般に、音声通話のためにＬＴＥネットワークからＣＳネットワークへ切替えることは、回路切替えフォールバック（ＣＳＦＢ）と称される。幾つかの実施例においては、システム１００はＣＳＦＢを独立に、若しくは回線交換局（Ｍｏｂｉｌｅ  Ｓｗｉｔｃｈｉｎｇ  Ｃｅｎｔｅｒ；ＭＳＣ）におけるＳＧｓインターフェースを含むことなく実行し得る。更にシステムは、ＣＳＦＢを独立に、若しくは既存のＭＳＣを修正することなく実行し得る。例えば、システム１００は、ＣＳＦＢインターネットワーキング機能（ＩＷＦ）１０２（以下に更に詳細に説明する）を含むことがあり、これはＭＡＰインターフェースを通じてＣＳネットワークに接続し、ＳＧｓインターフェースを通じてＬＴＥネットワークに接続する。その際に、システム１００は以下を省略、低減、さもなければ防止し得る。即ち、ＭＳＣにおける変更（例えば、ＭＳＣにおけるＳＧｓインターフェースがなく、構成変更はない）、ローミング再試行（例えば、複雑なＭＳＣ／ＨＬＲ機能を節約し、呼び出し設定遅延を低減する）、ＬＡマッピングに対するＴＡ（例えば、全てのＴＡは単独のＬＡへマップされることがあり、ＣＳＦＢ  ＩＷＦによって所有される）、ＭＴ呼び出しベアラーの処理（例えば、ベアラー無線通信路はなく、コストを低減する）、及び／又はその他である。
【００１３】
高水準において、システム１００は、幾つかの実施例においてはＣＳＦＢ  ＩＷＦ１０２を含み、これはＣＳシステム１０４、ＬＴＥシステム１０６、並びにネットワーク１０４及び１０６を通じてＵＥ  １０８へ通信可能に接続されている。ＣＳシステム１０４は無線アクセス・ネットワーク（ＲＡＮ）１１０及びセルラーコアネットワーク１１２を含み、ＬＴＥシステム１０６はＬＴＥ無線アクセス・ネットワーク１１４、例えば次世代ＵＴＲＡＮ（ＥＵＴＲＡＮ１１４）と、次世代パケットコア（ＥＰＣ）１１６と称されるコアネットワーク１１６を含む。セルラーコアネットワーク１１２は、ＧＭＳＣ  １１８、ＨＬＲ１２０、ＭＳＣ／ＶＬＲ １２２、及びＳＧＳＮ１２４を含む。ＥＰＣ １１６は、ＭＭＥ １２６及びホーム加入者サーバー（ＨＳＳ）１２８を含む。高水準説明に関しては、ＵＥがＥＰＣ１１６上でＩＭＳＩアタッチを実行するとき、ＣＳＢ  ＩＷＦ１０２が供給ＭＳＣ／ＶＬＲに登録する。登録の後、ＧＭＳＣ  １１８は、ＵＥ  １１８による音声通話を終了する到来する要請を受信して、情報を経路指定する要請をＨＬＲ １２０へ送信し得る。ＣＳＦＢ ＩＷＦ １０２がセルラーコアネットワーク１１２に対する供給ＭＳＣとして現れたと判定された後に、ＨＬＲ  １２０はＭＳＲＮについての要請をＣＳＦＢ ＩＷＦ  １０２へ送信し得る。要請と同一であると見做される情報を記憶することに関連して、ＣＳＦＢ ＩＷＦ  １０２は、セルラー・システム１０４をフォールバックするようにＥＰＣ  １１６のＭＭＥ  １２６を通じてＵＥ  １０８へ要請を送信する。ＵＥ  １０８は要請をＲＡＮ １１０を通じてＭＳＣ／ＶＬＲ  １２２へ送信して、その位置を更新することがあり、これはＨＬＲ  １２０に中継される。ＨＬＲ  １２０はＭＳＣ／ＶＬＲ １２２を供給ＭＳＣとして再び割り当てて、ＣＬ要請をＣＳＦＢ ＩＷＦ １０２へ送信する。ＣＳＦＢ ＩＷＦ１０２は情報を経路指定するための新たな要請をＨＬＲ１２０へ送り、ＰＲＮ  Ａｃｋにおいて受信されたＭＳＲＮをＧＭＳＣ  １１８へ送信し、これは、このＭＳＲＮを用いて呼び出しをそれが終了されるＭＳＣ／ＶＬＲ  １２２へ経路付ける。
【００１４】
システム１１０の更に詳細な説明に向かうと、ＣＳＦＢ  ＩＷＦ  １０２は任意のセルラーコアネットワーク１１２から音声通話のためのモバイル着信要請の受信に関連してＬＴＥシステム１０６からＣＳシステム１０４へＵＥ  １０８を移行させるように作動可能なソフトウェア、ハードウェア、及び／又はファームウェアを含むことができる。例えば、ＣＳＦＢ  ＩＷＦ  １０２はＵＥ  １０８を呼び出してセルラーコアネットワーク１１２におけるＨＬＲ  １２０による更新位置要請を要請する。セルラー・システム１０４における位置を更新することにより、ＣＳＦＢ ＩＷＦ  １０２は、セルラー・システム１０４が位置更新の間に割り当てられるＭＳＲＮを用いてＰＲＮ要請を返信することがある。位置更新を開始する際に、ＣＳＦＢ ＩＷＦ １０２は、ＵＥ  １０８を起動して音声通話のためにＣＳ無線にフォールバックすることがあり、これはボイス・オーバーＬＴＥ（ＶｏＬＴＥ）ではない。幾つかの実施例においては、ＣＳＦＢ  ＩＷＦ  １０２がＭＭＥ  １２６への新たなインターフェース（ＳＧｓ）を含むことができ、これはＣＳＦＢ  ＩＷＦ  １０２に、ＭＳＣ／ＶＬＲとして作動するときに、ＵＥ １０８がいつＥＰＣ １１６へアタッチされたかを判定することを可能にし得る。ＣＳＦＢ ＩＷＦ １０２は、インターフェース、例えばＭＭＥ １２６へのＳＧｓ、ＨＬＲ １２０へのＭＡＰ、ＳＭＳＣへのＭＡＰ及び／又は他のものを含み得る。ＭＭＥ １２６へのＳＧｓに関しては、ＣＳＦＢ ＩＷＦ １０２は標準的なＳＧｓ機能を実行し得るか、及び／又は、ＭＭＥ １２６はＣＳＦＢ ＩＷＦ １０２を在圏位置レジスタ（Ｖｉｓｉｔｏｒ  Ｌｏｃａｔｉｏｎ  Ｒｅｇｉｓｔｅｒ；ＶＬＲ）として特定し得る。換言すれば、ＣＳＦＢ ＩＷＦ １０２は、ＥＰＣ領域におけるＭＭＥ １２６からのＳＧｓインターフェースを支持し得る。これらの例においては、ＣＳＦＢ ＩＷＦ １０２は、ＭＭＥ １２６へのＶＬＲとして現れ得る。ＥＰＣ領域における加入者のためのＶＬＲ／ＭＳＣとして働くＩＷＦ  １０２は、ＭＡＰインターフェース上でＨＬＲ １２０に、更に、ＳＭＳ関連処理についてのネットワーク１１２におけるＳＭＳＣに相互作用し得る。ＣＳＦＢ ＩＷＦ １０２は、ＳＧｓ状態及び３ＧＰＰ ＴＳ ２９．１１８において規定される状態装置を維持する「ＶＬＲ」を包含し得る。ＨＬＲ １２０へのＭＡＰに関しては、ＣＳＦＢ ＩＷＦ １０２は位置更新処置及び／又は呼び出し経路指定処置をこのインターフェースを使用して実行し得る。ＣＳＦＢ ＩＷＦ １０２とＨＬＲ １０２０の間のＭＡＰインターフェースは、位置管理、加入者管理及び／又は呼び出し取り扱い処置のために使用し得る。ＳＭＳＣへのＭＡＰに関しては、ＣＳＦＢ ＩＷＦ １０２は、ＭＡＰ ＭＯ ショート・メッセージ転送（Ｆｏｒｗａｒｄ  Ｓｈｏｒｔ  Ｍｅｓｓａｇｅ）及び／又はＭＡＰ ＭＴショート・メッセージ転送を用いたＭＯ／ＭＴ ＳＭＳ処置を実行し得る。例えば、ＣＳＦＢ ＩＷＦ １０２とＳＭＳＣとの間のＭＡＰインターフェースは、モバイル発信及び／又はモバイル着信ＳＭＳのために使用し得る。幾つかの実施例においては、ＣＳＦＢ ＩＷＦ １０２は、独立に若しくはベアラー設備（例えば、ＴＤＭ無線通信路）を伴わ���に操作し得る。ＣＳＦＢ ＩＷＦ １０２は、以下の一つ以上を実行し得る。即ち、ＨＬＲ  １２０からのＭＴ呼び出し信号発信を、それが供給ＭＳＣ／ＶＬＲとして現れたら受信すること、ＣＳＦＢを起動させるためのＳＧｓ呼び出し要請を送ること、ＭＴ呼び出し信号発信を開始して、呼び出しを新たな（かつ実際の）供給ＭＳＣ／ＶＬＲへリダイレクトすること、及び／又は他の機能である。これらの処理に関連して、ＵＥ １０８はＣＳ領域へフォールバックして、位置更新 ＭＳＣ／ＶＬＲ １２２を実行し得る。更に、ＵＥ  １０８は、一旦ＣＳＦＢ ＩＷＦ １０２が呼び出しをリダイレクトするならば、呼び出しを受け入れ得る。前述のように、ＣＳＦＢ ＩＷＦ １０２は、幾つかの実施例において、それ自体をコアネットワーク１１２の要素としてエミュレートするか、さもなければ表現し得る。例えば、ＣＳＦＢ ＩＷＦ １０２は、それ自体をＭＳＣ／ＶＬＲ又はセルラーコアネットワーク１１２の他の要素としてエミュレートするか、さもなければ表現し得る。通信ノード１０８がＭＳＣをエミュレートする場合には、ＣＳＦＢ ＩＷＦ １０２は他の任意のＭＳＣのようにセルラーコアネットワーク１１２におけるＨＬＲ １２０によって問い合わせられ得る。
【００１５】
システム１００における他の要素の詳細な説明に向かうと、ＬＴＥシステム１０６が、ＥＰＣ １１６とＥＵＴＲＡＮ １１４を含むことができる。ＥＰＣ １１６は、セルラーコアネットワーク１１２のような外部ネットワークへ接続性をもたらす。ＥＵＴＲＡＮ １１４は、無線サービスをＵＥ １０８へ提供するｅＮｏｄｅ−Ｂ（ｅＮＢ）基地局のような一つ以上の基地局を含む。ＥＰＣベースのコアネットワークは、供給関門（Ｓｅｒｖｉｎｇ  Ｇａｔｅｗａｙ；ＳＧＷ）、ＭＭＥ １２６とパケット関門（Ｐａｃｋｅｔ  Ｇａｔｅｗａｙ；ＰＧＷ）を含むことができる。ＳＧＷは、ＥＰＣ １１６の範囲内でトラフィックの経路を決めることができる。ＭＭＥ  １５５は、コアネットワーク移動管理、コアネットワークに対するＵＥ  １０８のアタッチ、及び、アイドル・モードＵＥｓとの接触の維持に関与する。ＰＧＷはインターネットからの／インターネットへのトラフィックの進入／退出を可能にするように関与する。ＰＧＷは、ＩＰアドレスをＵＥｓ １０８へ割り当てることができる。
【００１６】
ＬＴＥベースの無線通信システムは、システム要素の間に規定されたネットワーク・インターフェースを有する。ネットワーク・インターフェースは、ＵＥとｅＮＢとの間に規定されたＵｕインターフェース、ｅＮＢとＳＧＷとの間に規定されたＳ１Ｕユーザー面インターフェース、ｅＮＢとＭＭＥとの間に規定されたＳ１Ｃ制御面インターフェース（Ｓ１-ＭＭＥとしても知られる）、及びＳＧＷとＰＧＷとの間に規定されたＳ５／Ｓ８インターフェースを含む。Ｓ１ＵとＳ１Ｃとの組合せが「Ｓ１」にしばしば単純化されることに留意すべきである。
【００１７】
ＭＭＥ １２６は、ＬＴＥアクセス・ネットワークのための制御ノードである。ＭＭＥ １２６は、再転送を含むＵＥ １０８追跡及び呼び出し処置に関与する。
ＭＭＥ １２６は、ベアラー起動／失活処理を取り扱って、初期アタッチにおける及び内部ＬＴＥハンドオーバのときにおけるＵＥのためにＳＧＷを選択することにも関与する。ＭＭＥ １２６も、ＨＳＳ １２４と相互作用することによって、ユーザーを認証する。ＭＭＥ １２６も、ＵＥｓに一時的な特定を生成して、割り当てて、非アクセス階層（ＮＡＳ）信号発信を終了する。ＭＭＥ １２６はサービス・プロバイダの公衆ランド・モバイル・ネットワーク（ＰＬＭＮ）上にキャンプオンするＵＥ １０８の認証を検査して、ＵＥローミング制限を実施する。ＭＭＥ １２６はＮＡＳ信号発信の暗号化／完全性保護のためのネットワークにおける終了点であって、セキュリティ・キー管理を取り扱う。信号発信の合法的傍受は、ＭＭＥ １２６によっても支持される。ＭＭＥは、ＬＴＥと、２Ｇ／３Ｇアクセス・ネットワークとの間の可動性のための制御面機能も提供し、そこでＳＧＳＮ  １３０からＭＭＥ  １２６において終端するＳ３インターフェースを有する。ＭＭＥ １２６は、ローミングＵＥのために、ホームＨＳＳ １２８へ向かうＳ６ａインターフェースを終了する。
【００１８】
ＳＧＷはユーザー・データ・パケットを経路指定して転送し、一方、インターｅＮＢハンドオーバの間のユーザー面のための可動性アンカーとして働き、かつ、ＬＴＥと他の３ＧＰＰ技術（Ｓ４インターフェースを終了して、２Ｇ／３ＧシステムとＰＤＮ  ＧＷとの間でトラフィックを中継する）との間の可動性のためのアンカーとして働く。アイドル状態ＵＥのために、ＳＧＷは、ダウン・リンク・データがＵＥ １０８のために到着するとき、ダウン・リンク・データ経路を終了し、呼び出しを誘発する。ＳＧＷは、ＵＥコンテキスト、例えば、ＩＰベアラー・サービス及びネットワーク内部経路指定情報のパラメータを管理して保存する。ＳＧＷは、合法的傍受の場合におけるユーザー・トラフィックの複製を実行する。ＰＧＷは、ＵＥ  １０８のためのトラフィックの出口及び入口の点となることにより、ＵＥ  １０８へ外部パケット・データ・ネットワークへの接続性を与える。ＵＥ  １０８は、複数のパケット・データ・ネットワークへアクセスするために、一つよりも多くのＰＧＷとの同時接続性を有することがある。Ｐ−ＧＷは方針実施、各々のユーザーのためのパケット・フィルタリング、充電支持、合法的傍受、及びパケット・スクリーニングを実行する。ＰＧＷは、３ＧＰＰと非３ＧＰＰ技術、例えばＷｉＭＡＸ及び３ＧＰＰ２（ＣＤＭＡ  １Ｘ及びＥｖＤＯ）との間で可動性のためのアンカーも与える。ＳＧＷ又はＰＧＷは実施形態に依存して、ディープ・パケット・インスペクションを与えるために、かつ、上述のようにＳＧＷ又はＰＧＷを実装しているシャーシにおける加入者ごとのユーザーへ広告を提供するように用いることができる。
【００１９】
セルラーコアシステム１０４は、セルラー・サービスを提供するために様々なスイッチング素子、関門及びサービス制御機能を一般的に含む。セルラーコアシステム１０４は、しばしば複数のセルラー・アクセス・ネットワーク（例えば、ＲＡＮ）を介してこれらのサービスを提供し、また、セルラー・システムをＥＰＣ １１６のような他の通信システムへ接続させる。セルラー標準に従って、セルラーコアシステム１０４は音声通話を処理するための回路切替え（又は音声切替え）部及びデータ転送、例えば電子メール・メッセージ及びウェブ・ブラウジングを支持するためのパケット切替え（又はデータ切替え）部を含み得る。回路切替え部は、ＭＳＣ／ＶＬＲ  １２２を含み、これはセルラーアクセス・システム１０６とＰＳＴＮ １０４又は他のネットワーク、セルラーコアネットワークなどとの間の電話通話を切替え又は接続する。ＭＳＣ／ＶＬＲ １２２は、ＲＡＮ １１０へ向かって単独の媒体ストリーム（例えば、標準的なＡ-インターフェースのための単独のＴＤＭチャンネル、ＡｏＩＰのための単独のＲＴＰストリーム）のみを支持し得る。この単独媒体ストリームは、補助サービスのために用いられることがあり、これは通話中着信のようなモバイルへの及びモバイルからの複数の呼び出しに関連する。換言すれば、ＧＳＭモバイルへの及びＧＳＭモバイルからの複数の呼び出しは、ＭＳＣのアクセス・インターフェースにおける単独の媒体接続を共有する。
【００２０】
セルラーコアシステム１０４ａは、「恒久的」加入者データを維持するためのＨＬＲ  １２０と、ＨＬＲ  １２０から取り出された加入者データ及び無線通信方法を用いてそれらＵＥ １０８の位置に関する最新の情報を「一時的に」保持するＶＬＲ（及び／又はＳＧＳＮ）も含み得る。更に、セルラーコアシステム１０４は、認証、承認、及びアカウンティング（ＡＡＡ）を含むことがあり、これはセルラーコアシステム１０４にアクセスするために使用可能なＵＥ   １０８のための認証、承認、アカウンティングの役割を実行する。コアシステム１０４の説明をＧＳＭネットワークに関して説明したが、このコアシステム１０４は、この開示事項の要旨を逸脱しない範囲で、ＵＭＴＳ、ＣＤＭＡ、その他などの他のセルラー無線技術を含み得る。
【００２１】
ＲＡＮ １１０は、モバイル・デバイス１０２ａとセルラーコアシステム１０４ａとの間の無線インターフェースを与え、これは実時間音声、データ及びマルチメディア・サービス（例えば、呼び出し）をＵＥ １０８へ提供し得る。一般に、ＲＡＮ １１０は無線周波数（ＲＦ）リンクを介してエア・フレームを通信する。特に、ＲＡＮ １１０は、セルラーコアシステム１０４aを通じる送信のためのメッセージに基づいて、エア・フレームから物理的リンクへの間で変換する。ＲＡＮ １１０は、送信の間に、例えば、以下の無線インターフェース標準の一つを実施し得る。即ち、ＧＳＭアクセス、ＵＭＴＳアクセス、符号分割多元アクセス（ＣＤＭＡ）、時分割多元アクセス（ＴＤＭＡ）、汎用パケット無線サービス（ＧＰＲＳ）、広域展開用高速データレート（Ｅｎｈａｎｃｅｄ  Ｄａｔａ  Ｒａｔｅｓ  ｆｏｒ  Ｇｌｏｂａｌ  Ｅｖｏｌｕｔｉｏｎ；ＥＤＧＥ）、又はプロプライアタリー無線インターフェースである。ユーザーは、例えば、携帯電話サービス、全地球位置測位定システム（ＧＰＳ）サービス、ＸＭラジオ・サービス等を受けるためにＲＡＮ １１０へ加入することがある。
【００２２】
ＲＡＮ １１０は、無線基地局コントローラ（Ｂａｓｅ  Ｓｔａｔｉｏｎ  Ｃｏｎｔｒｏｌｌｅｒｓ；ＢＳＣ）１３２に接続された無線基地局（Ｂａｓｅ  Ｓｔａｔｉｏｎｓ；ＢＳ）を含み得る。ＢＳはＲＡＮ １１０の地理的地域の範囲内のエア・フレームを受信及び送信して（即ちＵＥ １０８によって送信された）、セルラーコアシステム１０４に接続している他のＵＥと通信する。各々のＢＳＣ １３２は一つ以上のＢＳ １１４と関係していて、関連したＢＳ １１４を制御する。例えば、ＢＳＣ １３２は、機能、例えばハンドオーバ、セルラー構成データ、ＲＦ電力レベルの制御、又は無線資産の管理並びにＢＳへ及びＢＳから信号を送信するための任意の他のどの適宜な機能を提供し得る。ＭＳＣ／ＶＬＲ １２２は、Ａ−インターフェースのような標準インターフェースを通じてＢＳＣ １３２に接続し得る。ＲＡＮ  １１０の要素はＧＳＭネットワークに関して説明したが、ＲＡＮ １１０は他のセルラー技術、例えばＵＭＴＳ、ＣＤＭＡ、及び／又はその他を含み得る。ＵＭＴＳの場合、ＲＡＮ １１０はノードＢ及び無線ネットワーク・コントローラ（ＲＮＣ）を含み得る。
【００２３】
要素のより詳細な説明に指向すると、ＵＥ １０８は、システム１００に無線通信を受信及び送信するために使用可能な電子デバイスを含む。この開示事項において用いられているように、ＵＥ  １０８は、携帯電話、データ電話、ポケットベル、ポータブル・コンピュータ、SＩＰ電話、スマートフォン、個人用情報支援端末（ＰＤＡ）、これら又は他のデバイス内の一つ以上のプロセッサ、又はセルラー無線技術を用いて通信情報ができる他の任意の適宜な処理デバイスを包含することを意図している。図解された実施例においては、ＵＥ １０８は一つ以上のセルラー・バンドで送信することができる。これらの場合、ＵＥ  １０８により送信及び／又は受信されたメッセージは、セルラー無線技術に基づき得る。セルラー・アクセス・ネットワーク１１０へ通信可能に接続された多くのＵＥ １０８があり得る。一般に、ＵＥ  １０８は、音声、ビデオ、マルチメディア、テキスト、ウェブ・コンテンツ又は任意の他のユーザー／クライアントに特有のコンテンツを送信し得る。要するに、ＵＥ １０８は要請、応答を生成するか、さもなければＲＡＮ １１０を通じてモバイルコアシステム１０４aと通信し、又はＥ−ＵＴＲＡＮ １１４を通じてＥＰＣ １１６と通信する。
【００２４】
操作の幾つかの観点においては、システム１００は以下の一つ以上を実行し得る。即ち、モバイル着信要請に関連して移動局ローミング番号（Ｍｏｂｉｌｅ  Ｓｔａｔｉｏｎ  Ｒｏａｍｉｎｇ  Ｎｕｍｂｅｒ；ＭＳＲＮ）のためにＣＳネットワークにおけるホーム位置レジスタ（ＨＬＲ）から供給ローミング番号（Ｐｒｏｖｉｄｅ  Ｒｏａｍｉｎｇ  Ｎｕｍｂｅｒ）（ＰＲＮ）要請を受信すること、ＣＳシステムへフォールバックするＬＴＥシステムにおける可動性管理実体（Ｍｏｂｉｌｉｔｙ  Ｍａｎａｇｅｍｅｎｔ  Ｅｎｔｉｔｙ）（ＭＭＥ）を通じて、ＵＥへ要請を送信すること、異なるＭＳＣへ再割り当てされるＵＥの位置に関連してＨＬＲからキャンセル位置（Ｃａｎｃｅｌ  Ｌｏｃａｔｉｏｎ）（ＣＬ）要請を受信すること、少なくともＣＬ要請に応じて、送信ルーティング情報（Ｓｅｎｄ  Ｒｏｕｔｉｎｇ  Ｉｎｆｏｒｍａｔｉｏｎ）（ＳＲＩ）要請をＨＬＲへ送信すること、ＨＬＲを通じてＭＳＣからＭＳＲＮを受信すること、受信したＭＳＲＮを用いて、ＰＲＮ  アクノリッジメント（ＰＲＮ  Ａｃｋｎｏｗｌｅｄｇｅｍｅｎｔ）（ＰＲＮ  Ａｃｋ）をＨＬＲへ送信して、ＭＳＲＮを用いてＵＥにより呼び出しを終了すること、及び／又はその他である。
【００２５】
図２Ａ―図２Ｉは、本開示事項の幾つかの実施例によりＣＳＦＢを実行するために信号発信を例示するシステム２００−２８０である。図２Ａを参照すると、ＧＭＳＣ １１８は、ＵＥ １０８による音声通話を終了するための要請を示している信号２０２を受信する。図２Ｂを参照すると、システム２１０は、ＵＥ １０８のためにＭＳＲＮを要請している信号２１２を例示する。特に、ＧＭＳＣ １１８は供給ローミング番号（ＰＲＮ）要請をＨＬＲ １２０へ送信し、ＨＬＲ １２０はＵＥ １０８のためのＭＳＣ／ＶＬＲとしてＰＲＮ要請をＣＳＦＢ ＩＷＦ １０２へ送信する。図２Ｃを参照すると、システム２２０は、ＵＥ １０８にＨＬＲ １２０にてその場所を更新することを要求している呼び出しを示している信号２２２を例示する。特に、ＣＳＦＢ ＩＷＦ １０２は呼び出しをＭＭＥ １２６へ送信し、これは次いで、Ｅ−ＵＴＲＡＮ １１４を通じて呼び出しをＵＥ １０８へ送信する。図２Ｄを参照すると、システム２３０は、Ｅ−ＵＴＲＡＮ１１４からＲＡＮ１１０への通信を再調整しているＵＥ １０８を例示する。図２Ｅを参照すると、システム２４０は、セルラーコアネットワーク１１２から位置更新を要請している信号２４２を例示する。特に、ＵＥ １０８はＢＳＣ １３２及びＭＳＣ／ＶＬＲ １２２を通じて更新要請をＨＬＲ １２０へ送信する。図２Ｆを参照すると、システム２５０は、ＵＥ １０８が異なるＭＳＣに登録されることを示す信号２５２を例示する。特に、ＨＬＲ １２０はＭＳＣ／ＶＬＲ１２２によるＵＥ１０８の登録を更新し、キャンセル位置（Ｃａｎｃｅｌ  Ｌｏｃａｔｉｏｎ）（ＣＬ）要請をＣＳＦＢ  ＩＷＦ  １０２へ送信する。図２Ｇを参照すると、システム２６０は、現在のＭＳＲＮをＨＬＲ２０から要請する信号２６２を例示する。特に、ＣＳＦＢ  ＩＷＦ  １０２は、ＨＬＲ  １２０を介してＧＭＳＣ  １１８から受信した先行するＰＲＮ要請において特定されたＭＳＩＳＤＮを用いてＳＲＩ要請をＨＬＲ１２０へ送信する。図２Ｈを参照すると、システム２７０は、ＭＳＲＮを取り出すと共に、このＭＳＲＮをＣＳＦＢ  ＩＷＦ  １０２へ送信する信号２７２を例示する。特に、ＨＬＲ  １２０は、ＭＳＣ／ＶＬＲ １２２をＶＭＳＣとして特定し、ＭＳＣ／ＶＬＲ１２２から現在のＭＳＲＮを取り出す。図２Ｉを参照すると、システム２８０は現在のＭＳＲＮをＧＭＳＣ１１８へＨＬＲ１２０を介して発信してＵＥ  １０８におけるモバイル着信呼び出しを終了させる信号２８２を例示する。
【００２６】
図３Ａ及び図３Ｂは、本開示事項の幾つかの実施例によりＣＳＦＢを実行するための呼び出しフロー３００を例示する。呼び出しフロー３００では、新たなセルのＬＡがＵＥ １０８に保存されるものとは異なるならば、ＵＥ １０８は位置領域更新（Ｌｏｃａｔｉｏｎ  Ａｒｅａ  Ｕｐｄａｔｅ）又は組み合わせＲＡ／ＬＡ更新（Ｃｏｍｂｉｎｅｄ  ＲＡ／ＬＡ  Ｕｐｄａｔｅ）処置を開始する。複数のＣＳＦＢ ＩＷＦは、ＬＡＩに割り当てられ、これはＵＥ １０８に常に位置領域更新を開始することを強いる２Ｇ／３Ｇ空間で用いられた一つから相互に排他的である。アイドル・モードにおいては、ＭＭＥ １２６は呼び出し要請をｅＮｏｄｅＢ  １１４へ送り、これは次いでこの要請をＵＥ １０８へ送る。ＭＭＥ  １２６は、ＵＥ １０８から延長サービス要請（Ｅｘｔｅｎｄｅｄ  Ｓｅｒｖｉｃｅ  Ｒｅｑｕｅｓｔ）を受け取った後、ＣＳＦＢ ＩＷＦ １０２へサービス要請（Ｓｅｒｖｉｃｅ  Ｒｅｑｕｅｓｔ）を送る。能動モードにおいては、ＭＭＥ １２６はＣＳ 呼び出し要請をＵＥ １０８に、それが確立されたＳ１接続を有すると送信する。ＭＭＥ １２６は、ＵＥ １０８へ呼び出し要請を送った直後に、ＣＳＦＢ ＩＷＦ １０２にサービス要請を送る。幾つかの実施例においては、ＣＳＦＢ ＩＷＦ ０２は、サービス・インジケーター（Ｓｅｒｖｉｃｅ  Ｉｎｄｉｃａｔｏｒ）をＳＧＡＰ−ページング−要請（ＳＧＡＰ−ＰＡＧＩＮＧ−Ｒｅｑｕｅｓｔ）メッセージにおける「ＣＳ呼び出しインジケータ（ＣＳ  Ｃａｌｌ  Ｉｎｄｉｃａｔｏｒ）」へ設定し得る。ＣＳＦＢ ＩＷＦ １０２は、これをＨＬＲ １２０からＭＡＰ ＰＲＮメッセージを受信することで確認し得る。ＣＳＦＢ  ＩＷＦ  １０２は、ＳＧＡＰ−ページング−要請における以下の属性を含まないことがあり、これは、これらが利用できない場合があるためである（例えば、ＬＣＳ クライアント識別（ＬＣＳ  Ｃｌｉｅｎｔ  Ｉｄｅｎｔｉｔｙ）、ＬＣＳ  インジケータ（ＬＳＣ  Ｉｎｄｉｃａｔｏｒ））。ＭＳＣ／ＶＬＲ １２２は、ＣＳＦＢ ＩＷＦ １０２からサービス要請メッセージを受信しないことがある。３ＧＰＰ  ＴＳ  ２３．２７２は、サービス要請メッセージは、呼び出しを処理していることを呼び出し者に知らせて、ＣＦＮＲｙタイマーを始動させる誘因として用いられ得ることを示す。ＣＳＦＢ ＩＷＦ １０２は、呼び出し処理を知らせる標準的な処理に従い得る。呼び出し処理は、ＵＥがＧＥＲＡＮ／Ｕ-ＴＲＡＮにフォールバックすると標準処理毎に起動されることがあり、呼び出しはそこで設定される。ＣＳＦＢ ＩＷＦ １０２がＳＧｓＡＰサービス要請（ＳＧｓＡＰ-ＳＥＲＶＩＣＥ-ＲＥＱＵＥＳＴ）をＭＭＥ  １２２から受け取るならば、それは後続のページを送ることを再試行し得る。２Ｇ／３Ｇ  ＢＳＣ／ＭＳＣは、ページング応答をＵＥ  １０８から受信しないことがあり、これは、それが位置領域更新を常にＥ−ＵＴＲＡＮ  １１４から移動の後に実行するためである。ＨＬＲ  １２０はＭＡＰキャンセル位置（ＭＡＰ  ＣＡＮＣＥＬ  ＬＯＣＡＴＩＯＮ）を古いＭＳＣ（この場合はＣＳＦＢ  ＩＷＦ  １０２）へ送り、それと並行して新たなＭＳＣ／ＶＬＲ  １２２からのＭＡＰ更新位置（ＭＡＰ  ＵＰＤＡＴＥ  ＬＯＣＡＴＩＯＮ）を取��扱う。ＣＳＦＢ  ＩＷＦ  １０２は、ＭＡＰキャンセル位置を送る前に完了するＭＡＰ更新位置処理（これは一つ以上のＭＡＰ挿入加入者データ（ＭＡＰ ＩＮＳＥＲＴ  ＳＵＢＳＣＲＩＢＥＲ  ＤＡＴＡ）メッセージを含む）を待たないことがある。ＨＬＲ １２０における新たなＭＳＣ／ＶＬＲ １２２からのＭＡＰ更新位置処理とＣＳＦＢ ＩＷＦ １０２からのＭＡＰ ＳＲＩ処置とは、並行に又は少なくとも接続して起こり得る。ＣＳＦＢ  ＩＷＦ  １０２は、いつ新たな更新位置が完了したかを承知していないことがあり、ＭＡＰ  ＳＲＩをＨＬＲ  １２０へ送るのを待たないことがある。ＣＳＦＢ  ＩＷＦ  １０２がＭＡＰ ＳＲＩを送る誘因は、ＭＡＰキャンセル位置の受信である場合がある。ＨＬＲ１２０は、新たなＭＳＣ／ＶＬＲ  １２２からのＭＡＰ更新位置がＣＳＦＢ ＩＷＦ １０２からのＭＡＰ ＳＲＩメッセージを取り扱う前に完了するまで待つことがある。基本的に、ＣＳＦＢ  ＩＷＦ  １０２はＭＡＰ更新位置処置がＭＡＰ  ＰＲＮメッセージを新たなＭＳＣ／ＶＬＲ  １２２へ送る前に完了するのを待ち得る。ＣＳＭＴフラッグは２Ｇ／３Ｇ ＭＳＣ／ＶＬＲにより支持されないことがあるので、位置更新メッセージにおいてＵＥ １０８から受信されるならば、それはパラメータを無視し得る。このため、ＭＳＣ／ＶＬＲ １２２は、位置領域更新処理の完了の後、ユーザーへ向けてＳＣＣＰＰ接続を公表し得る。ＨＬＲは、ＭＡＰ  ＰＲＮメッセージにおけるＩＭＳＩとＭＳＩＳＤＮとの両方をＳＦＢ ＩＷＦ １０２へ向かって送り得る。ＭＡＰ  ＳＲＩ要請についてのエラー応答の受信におけるＣＳＦＢ  ＩＷＦ  １０２は、初期呼び出しについてのＨＬＲ  １２０に対するＰＲＮ応答におけると同様なものを中継する。ＣＳＦＢ  ＩＷＦ  １０２は、ＨＬＲ  １２０へ向けて送られたＭＡＰ  ＳＲＩ要請における抑圧Ｔ−ＣＳＩパラメータを含み得る。ＣＳＦＢ  ＩＷＦ  １０２は、ＭＡＰ  ＳＲＩ応答におけるＨＬＲ  １２０からの実質的に全てのサービス表示を無視し得る。Ｅ−ＵTＲＡＮ １１４からＵＭＴ／ＧＳＭへの外部ＲＡＴハンドオーバが支持され得る（即ち、能動的パケット・セッションのハンドオーバ）ならば、ＭＭＥ １２６は３ＧＰＰ ＴＳ ２３．４０１において特定されたものとしてＳＧＳＮと直接に相互作用し得る。ＣＳＦＢ ＩＷＦ １０２は、これらの処置に関係しないことがある。ＣＳＦＢアーキテクチャは、加入者がＥ−ＵＴＲＡＮ １４からＵＴＲＡＮ／GEＲＡＮまで移動するたびに、位置領域更新処理を呼び出すことによる標準ＣＳＦＢ呼び出し試行と比較して、更なるポスト・ダイヤル遅延を導入し得る。ＭＴ呼び出しのためのＬＩIは、２Ｇ／３Ｇ ＭＳＣ／ＶＬＲ １２２において取り扱い得る。この例において、ローミング試行処理は、このＣＳＦＢ ＩＷＦアーキテクチャでは必要とされないことがある。
【００２７】
幾つかの実施例においては、ＭＭＥ １２６は、ＳＧｓＡＰ−ページング拒否（ＳＧｓＡＰ−ＰＡＧＩＮＧ−ＲＥＪＥＣＴ）メッセージをＣＳＦＢ  ＩＷＦ  １０２へ送って、ＣＳＦＢ ＩＷＦにおいて対応する行為をなし得る。ＵＥ １０８が既知であり、ＥＰＳサービスと「ＳＭＳのみ」にアタッチされたＩＭＳＩと見做されるならば、ＭＭＥ １２６は、ＳＧｓ原因情報要素において「モバイル着信ＣＳフォールバック呼び出しはユーザーによって拒否された」ことを示すＳＧｓＡＰ−ページング−拒否メッセージを返し得る。ＣＳＦＢ ＩＷＦ １０２は、ユーザー・エラーを「設備は支持されていない」に設定して、ＨＬＲ １２０にＭＡＰＰＲＮ応答（ＭＡＰ  ＰＲＮ  ＲＥＳＰＯＮＳＥ）を送り得る。ＵＥ １０８が既知であり、非ＥＰＳサービスについて（暗黙のうちに又は明示的に）分離されたＥＰＳサービス又はＩＭＳＩについて分離されたＩＭＳＩであることが示されて、即ちＳＧｓ関係の状態がＮＧｓ−零であるならば、ＭＭＥ １２６は、ＳＧｓ原因情報要素において分離状況（「ＥＰＳサービスについて分離されたＩＭＳＩI」、「非ＥＰＳサービスについて分離されたＩＭＳＩI」又は「非ＥＰＳサービスについて暗黙のうちに分離されたＩＭＳＩ」）を示すＳＧａＡＰ−ページング−拒否メッセージを返し得る。ＣＳＦＢ ＩＷＦ １０２は、ＭＡＰＰＲＮ応答をＨＬＲ１２０へユーザー・エラーを「未確認加入者」に設定して送り得る。ＵＥ １０８が未知であり、かつ、「ＭＭＥリセット（ＭＭＥ  Ｒｅｓｅｔ）」が「誤り」に設定されるならば、ＭＭＥ １２６はＳＧｓ原因情報要素において「ＩＭＳＩ未知」を示すＳＧｓＡＰ-ページング−拒否メッセージを返し得る。ＣＳＦＢ ＩＷＦ １０２は、ＭＡＰ応答をＨＬＲ  １２０にユーザー・エラーを「未知の加入者」に設定して送り得る。ＵＥ １０８が未知であり、かつ、「ＭＭＥリセット」が「真」に設定されており、ＥＰＳSサービス及び「ＳＭＳのみ」にアタッチされたＩＭＳＩであると見做されるならば、ＭＭＥ １２６はＳＧｓ原因情報要素「モバイル着信フォールバック呼び出しはユーザーによって拒否された」を示すＳＧｓＡＰ-ページング−拒否メッセージを返し得る。ＣＳＦＢ ＩＷＦ １０２は、ユーザー・エラーを「設備は支持されていない」に設定して、ＭＡＰＰＲＮ応答をＨＬＲ  １２０へ送り得る。ＭＭＥ１２６は、「誤り」に設定されたページング続行フラグ（Ｐａｇｉｎｇ  Ｐｒｏｃｅｅｄ  Ｆｌａｇ）により示されるように、ＵＥ  １０８が到着不能としてマークを付けられているならば、ＳＧｓ原因情報要素「ＵＥ到着不能」を示すＳＧｓＡＰ−ＵＥ−到着不能（ＳＧｓＡＰ−ＵＥ−ＵＮＲＥＡＣＨＡＢＬＥ）メッセージを返し得る。ＭＭＥ １２６からのＳＧｓＡＰ−ＵＥ−到着不能メッセージの受信におけるＣＳＦＢ ＩＷＦ １０２は、ユーザー・エラーを「加入者応答無し」に設定して、ＭＡＰＰＲＮ応答メッセージを送り得る。ＣＳＦＢ  ＩＷＦ  １０２は、ページング拒否メッセージに起因する拒否に基づく適切なＳＧｓ状態へ移行し得る。ＣＳフォールバックの試みにおいて、ＵＥ  １０８がＧＥＲＡＮ／ＵＴＲＡＮを見つけるのに失敗したならば、呼び出しの試みは失敗するであろう。この想定では、ＨＬＲ １２０はＣＳＦＢ ＩＷＦ １０２からのＰＲＮ応答を待ってタイムアウトし得る。
【００２８】
図４は、本開示事項の幾つかの実施例によりＣＳＦＢを実行する例示的方法を図解するフロー図４００である。
【００２９】
方法４００は、ＰＲＮ要請がＨＬＲから受信されるステップ４０２において開始される。例えば、図１におけるＣＳＦＢ ＩＷＦ １０２は、ＨＬＲ １２０からのＵＥ １０８のＭＳＩＳＤＮを特定するＰＲＮ要請を受信し得る。ステップ４０４において、ＩＭＳＩとＰＲＮ要請によって特定されたＭＳＩＤＮとは保存される。例では、ＣＳＦＢ ＩＷＦ １０２は、ＩＭＳＩとＰＲＮ要請によって特定されたＭＳＩＤＮを保存し得る。次に、ステップ４０６において、ＵＥは、ＬＴＥシステムにおけるＭＭＥを通じてページングされて、ＣＳネットワークを通じて位置を更新する。この例に関して、ＣＳＦＢ ＩＷＦ １０２は、ＵＥ １０８のためのＭＭＥ １２６へのページを送信し得る。位置更新に関連して、ステップ４０８において、新たなＭＳＣをＵＥへ割り当てることに基づいて、ＨＬＲから、キャンセル位置（ＣＬ）要請が受信される。また、この例においては、ＭＳＣ／ＶＬＲ １２２をＵＥ １０８に割り当てるＨＬＲ １２０に基づいて、ＨＬＲ  １２０はＣＬ要請をＣＳＦＢ ＩＷＦ １０２へ送信し得る。ステップ４１０において、保存されたＭＳＩＳＤＮは、メモリから取り出される。この例を参照すると、ＣＳＦＢ ＩＷＦ １０２は、ＰＲＮ要請において特定されたＭＳＩＳＤＮをメモリから取り出し得る。次に、ステップ４１２において、ＭＡＰ  ＳＲＩ要請は、以前に受信されたＭＳＩＳＤＮを含めてＨＬＲへ送信される。この例においては、ＣＳＦＢ ＩＷＦ １０２は、ＨＬＲ １２０へ、ＰＲＮ要請において特定されたＭＳＩＳＤＮを含むＭＡＰ  ＳＲＩ要請を送信する。ＵＥの現在のＭＳＲＮを特定するＭＡＰＳＲＩ  Ａｃｋは、ステップ４１４において受信される。次に、ステップ４１６において、現在のＭＳＲＮを特定するＰＲＮ  Ａｃｋは、ＨＬＲへ送信される。再び例を参照すると、ＣＳＦＢ ＩＷＦ １０２は、ＵＥ １０８の現在のＭＳＲＮを含むＰＲＮ  ＡｃｋをＨＬＲ  １２０へ送信して、ＵＥ  １０８との呼び出しを終了し得る。
【００３０】
図５は、新たなネットワーク位置提供（Ｎｅｔｗｏｒｋ  ｉｎｉｔｉａｔｅｄ）モバイル着信ＵＳＳＤ要請／通知処理の実施形態を図解する呼び出しフロー図である。ＵＳＳＤは、サービス・プロバイダのＵＳＳＤサーバーと通信するＧＳＭ携帯電話により使用されるプロトコルである。この計画では、ＵＥがＣＳに最初にフォールバックするとき、フォールバックを実行しているＭＳＣ／ＶＬＲは一方とは異なる。換言すれば、ＭＳＣはＭＴ ＵＳＳＤ（非構造付加サービス・データ（Ｕｎｓｔｒｕｃｔｅｄ  Ｓｕｐｐｌｅｍｅｎｔａｒｙ  Ｓｅｒｖｉｃｅ  Ｄａｔａ））要請/通知処理の間、フォールバックに変わる。ＩＷＦはＭＴ呼び出しの場合におけるようにフォールバックを始めて、次いでＵＳＳＤサーバーの働きをなして、ＨＬＲ及び新たなＭＳＣ通じてＵＳＳＤ要請／通知をＵＥへ送達する。図５に示される呼び出しフローは、同様にネットワーク位置提供ＭＴ  ＵＳＳＤ通知にも適用できる。
【００３１】
ボックスの内側の呼び出しフロー部に焦点を絞ると、ＩＷＦはＵＳＳＤサーバーの働きをなして、ＭＡＰ（移動通信応用部（Ｍｏｂｉｌｅ  Ａｐｐｌｉｃａｔｉｏｎ  Ｐａｒｔ））ＵＳＳＤ要請をＨＬＲに送信する。これに応じて、ＨＬＲはＵＳＳＤ要請を新たなＭＳＣ／ＶＬＲへ送信する。新たなＭＳＣ／ＶＬＲは、標準的なＣＳ処理に従ってＵＥへＵＳＳＤ要請を送って、ＵＥから受信された応答をＨＬＲへ送る。ＵＳＳＤ Ａｃｋは、ＵＥの応答を受信することに応じて、ＭＳＣ／ＶＬＲによってＨＬＲへ送られる。ＨＬＲは応答をＩＷＦへ中継し、これはＵＳＳＤ応答をＨＬＲへ更に中継する。次いでＨＬＲは、場合によってはＵＳＳＤサーバー又はＵＳＳＤアプリケーションへＵＳＳＤ応答を送る。
【００３２】
図６は、図７に示されて以下に説明される新たなモバイル着信位置報告（ＭＴ−ＬＲ）処理のための通信システムの例示的な実施形態の単純化されたブロック図である。図６は、上述に詳述した図１に類似している。図６に更に示されるように、ＧＭＬＣ １１９は、３ＧＰＰ指定されたＭＡＰベースのＬｇインターフェースを介してＩＷＦ １０２と通信する。
【００３３】
図７は、新たなモバイル着信位置報告（ＭＴ−ＬＲ）処理の実施形態を図解する呼び出しフロー図である。前述の通り、この計画においては、フォールバックを実行するＭＳＣ／ＶＬＲは、ＵＥがＣＳへ最初にフォールバックするときのものとは異なる。換言すれば、ＭＳＣはＭＴ−ＬＲ処理の間にフォールバックに応じて変化する。ＩＷＦは、ＭＴ呼び出しの場合におけるようにＣＳへのフォールバックを開始する。一旦フォールバックが完了するならば、ＩＷＦはＧＭＬＣの働きをなして、ＨＬＲから新たなＭＳＣアドレスを得ることによって新たなＭＳＣへ位置問合わせを送る。
【００３４】
ボックスの内側の呼び出しフロー部に焦点を絞ると、ＩＷＦは、ＭＡＰ ＳＲＩ−ＬＣＳ（ルーティング情報−位置サービス送信：Ｓｅｎｄ  Ｒｏｕｔｉｎｇ  Ｉｎｆｏｒｍａｔｉｏｎ―Ｌｏｃａｔｉｏｎ  Ｓｅｒｖｉｃｅｓ）要請をＨＬＲへ送る。この要請は、ＧＭＬＣ（関門移動位置局（Ｇａｔｅｗａｙ  Ｍｏｂｉｌｅ  Ｌｏｃａｔｉｏｎ  Ｃｅｎｔｅｒ））からＭＡＰ加入者位置提供（Ｐｒｏｖｉｄｅ  Ｓｕｂｓｃｒｉｂｅｒ  Ｌｏｃａｔｉｏｎ（ＰＳＬ））において受信されたものに依存して、ＩＭＳＩ（国際移動加入者識別（Ｉｎｔｅｒｎａｔｉｏｎａｌ  Ｍｏｂｉｌｅ  Ｓｕｂｓｃｒｉｂｅｒ  Ｉｄｅｎｔｙ））又はＭＳＩＳＤＮ（移動局国際加入者ディレクトリ番号（Ｍｏｂｉｌｅ  Ｓｔａｔｉｏｎ  Ｉｎｔｅｒｎａｔｉｏｎａｌ  Ｓｕｂｓｃｒｉｂｅｒ  Ｄｉｒｅｃｔｏｒｙ  Ｎｕｍｂｅｒ））の何れかを用いて加入者を特定し得る。これに応じて、ＨＬＲは、ネットワーク・ノード番号（新たなＭＳＣを特定する）を含む応答をＩＷＦへ送る。ＩＷＦはＧＭＬＣから受信したＭＡＰ  ＰＳＬをＨＬＲによって返されたＮＷノード番号へ中継する。３ＧＰＰ ＴＳ ２３.２７１に規定されたようなＵＥ位置が実行される。ＭＳＣ／ＶＬＲは、ＭＡＰ ＰＳＬ応答をＩＷＦに返す。次いで、ＩＷＦはＰＳＬ応答をＧＭＬＣに中継する。
【００３５】
図８は、新たな提供参加者情報をＣＳへフォールバックする処理の実施形態を図解する呼び出しフロー図である。ＭＡＰ加入者情報提供（ＰＳＩ）は、ＶＬＲが加入者位置を提供するために問い合わせられるＣＳネットワークにおいて一般的に用いられる処理である。前述の通り、この計画においては、フォールバックを実行するＭＳＣ／ＶＬＲは、ＵＥがＣＳに最初にフォールバックするときのものとは異なる。
【００３６】
ボックスの内側の呼び出しフロー部に焦点を絞ると、ＩＷＦはＭＴ呼び出しの場合におけるようにＣＳフォールバックを開始し、次いでＨＬＲからのキャンセル位置を受信すると、ｇｓｍＳＣF（ＧＳＭサービス制御機能（ＧＳＭ  Ｓｅｒｖｉｃｅ  Ｃｏｎｔｒｏｌ  Ｆｕｎｃｔｉｏｎ）の役割を引き受けて、ＭＡＰ ＰＳＩ要請メッセージにおいて言及された情報の同じセットを要請しているＨＬＲへＭＡＰ  ＡｎｙＴｉｍｅ質問（ＡｎｙＴｉｍｅ Ｉｎｔｅｒｒｏｇａｔｉｏｎ；ＡＴＩ）メッセージを送る。次いでＭＡＰ ＡｎｙＴｉｍｅ質問メッセージの応答内の情報は、ＭＡＰ ＰＳＩ要請メッセージの応答にコピーされてＨＬＲへ送られ、それにより処理を完了する。
【００３７】
新規であると信じられる本発明の特徴は、特に添付の特許請求の範囲において以下に記載される。しかしながら、上述の例示的な実施形態への修正例、変更例及び変形例は、当業者にとって明らかであり、従って本明細書に説明されたドレイン・アセンブリは、そのような修正例、変更例、及び変形例を包含しており、本明細書に説明された特定の実施形態に限定されるものではない。
【図１】
2015521005.tif 000003
【図２Ａ】
2015521005.tif 000004
【図２Ｂ】
2015521005.tif 000005
【図２Ｃ】
2015521005.tif 000006
【図２Ｄ】
2015521005.tif 000007
【図２Ｅ】
2015521005.tif 000008
【図２Ｆ】
2015521005.tif 000009
【図２Ｇ】
2015521005.tif 000010
【図２Ｈ】
2015521005.tif 000011
【図２Ｉ】
2015521005.tif 000012
【図３Ａ−１】
2015521005.tif 000013
【図３Ａ−２】
2015521005.tif 000014
【図３Ｂ−１】
2015521005.tif 000015
【図３Ｂ−２】
2015521005.tif 000016
【図４】
2015521005.tif 000017
【図５】
2015521005.tif 000018
【図６】
2015521005.tif 000019
【図７】
2015521005.tif 000020
【図８】
2015521005.tif 000021
【国際調査報告】
2015521005.tif 000022